(57)【要約】【課題】ユーザの所要の画像を多数の画像の中から瞬時に抜き出し画像形成することができる画像形成装置。【解決手段】１以上の画像２−１を画像読取手段１−４にセットし、操作手段１−２にてインデックス構成コマンドを処理手段１−８に入力し、画像２−１を１画像または複数画像ずつ画像読取手段１−４にて読み取るとともに画像データに変換し、この画像データを処理手段１−８を介して記憶手段１−６に記憶し、記憶した１以上の画像を記録媒体に並べ、この記録媒体に認識用コードを付与するとともに、前記並べた画像２−１にチェックボックスを付与し、そして、記録媒体に並べた画像の内ユーザが所要の画像のチェックボックスにマークし、そのマークした記録媒体を画像読取手段１−４にて読み取らせ、前記マークに対応して画像形成手段１−５にて画像形成する。【選択図】図１
2004025688.tif 000002
【特許請求の範囲】
【請求項１】
画像を読み取る画像読取手段と、読み取った画像を記憶する記憶手段と、記憶した画像を画像形成する画像形成手段と、を設けた画像形成装置において、画像形成手段は記憶手段にて記憶した１以上の画像を記録媒体に並べて、かつ該記録媒体に認識用コードを付与して画像形成することを特徴とする画像形成装置。
【請求項２】
画像を読み取る画像読取手段と、読み取った画像を記憶する記憶手段と、記憶した画像を画像形成する画像形成手段と、を設けた画像形成装置において、画像形成手段は記憶手段にて記憶した１以上の画像を記録媒体に並べて、かつ並べた画像にチェック部を付与して画像形成することを特徴とする画像形成装置。
【請求項３】
画像を読み取る画像読取手段と、読み取った画像を記憶する記憶手段と、記憶した画像を画像形成する画像形成手段とを、設けた画像形成装置において、画像形成手段は記憶手段にて記憶した１以上の画像を記録媒体に並べて、かつ該記録媒体に認識用コードを付与するとともに、並べた画像にチェック部を付与して画像形成することを特徴とする画像形成装置。
【請求項４】
前記チェック部を設けた画像を前記画像読取手段にて読み取り、画像形成手段はチェック部にマークしたもののみ画像形成することを特徴とする請求項２または請求項３記載の画像形成装置。
【請求項５】
前記チェック部を設けた画像を前記画像読取手段にて読み取り、画像形成手段はチェック部にマークしたもののみ画像形成しないことを特徴とする請求項２または請求項３記載の画像形成装置。
【請求項６】
前記認識用コードを前記画像読取手段にて読み取ると、画像形成手段は前記記憶手段にて記憶した１以上の画像を記録媒体に並べて自動に画像形成する事を特徴とする請求項１または請求項３記載の画像形成装置。
【請求項７】
前記記憶手段にて記憶した１以上の画像を記録媒体に並べて画像形成する前に、並べた画像を表示する表示手段を設けた事を特徴とする請求項１〜６記載の画像形成装置。
【請求項８】
前記表示手段にて表示されている並べた画像にチェック部を付与することを特徴とする請求項７記載の画像形成装置。
【請求項９】
画像を読み取る画像読取手段と、読み取った画像を記憶する記憶手段と、記憶した画像を画像形成する画像形成手段と、を設けた画像形成装置において、記憶手段にて記憶した１以上の画像を並べて、かつ認識用コードを付与して表示する表示手段を設けたことを特徴とする画像形成装置。
【請求項１０】
画像を読み取る画像読取手段と、読み取った画像を記憶する記憶手段と、記憶した画像を画像形成する画像形成手段と、を設けた画像形成装置において、記憶手段にて記憶した１以上の画像を並べて、かつ並べた画像にチェック部を付与して表示する表示手段を設けたことを特徴とする画像形成装置。
【請求項１１】
画像を読み取る画像読取手段と、読み取った画像を記憶する記憶手段と、記憶した画像を画像形成する画像形成手段とを、設けた画像形成装置において、記憶手段にて記憶した１以上の画像を並べて、かつ認識用コードを付与するとともに、並べた画像にチェック部を付与して表示する表示手段を設けたことを特徴とする画像形成装置。
【発明の詳細な説明】
【０００１】
【発明の属する技術分野】本発明は、画像読取手段を有する画像形成装置に関するものである。
【０００２】
【従来の技術】近年、単に画像を形成するプリンタ等の画像形成手段に、スキャナ等の画像を読み取る画像読取手段を一体的に備えた画像形成装置が提案されている（特開２０００−８２０７２号公報参照）。
【０００３】
提案されている画像形成装置によれば、文書や図面等の画像をスキャナ等で読み取る画像読取手段と、この読み込まれた画像を記憶する記憶手段と、さらにこの画像を検索するためのインデックスデータを記憶するインデックスデータ記憶手段と、前記記憶手段から得られた画像を画像形成する画像形成手段とを備える。
【０００４】
前記インデックスデータは、記憶手段に画像データを記憶する際に、この画像データの作成日時等の文章属性を抽出する。
【０００５】
上記構成の画像形成装置によれば、ユーザは所要の画像を得るために、インデックスデータ記憶手段より画像データを検索し、検索から所要の画像データを抽出するとともに、画像データを画像形成手段に送信することで画像形成する。
【０００６】
かくして、画像を画像読取手段にて読み取り、この読み取った画像を記憶手段にて記憶し、この記憶した画像を一括して効率的に検索できるように扱うことで、ユーザは所要の画像を検索することができるとともに、その画像をすばやく手元に得ることができる。
【０００７】
【発明が解決しようとする課題】
しかしながら、上記構成の画像形成装置によればユーザが所要の画像を得るためには、その画像について検索し、検索した結果に対応して画像形成することで、検索するという手間があるとともに、検索の方法によって所要の画像を抽出することができず、不必要な労力を使う問題があった。
【０００８】
また、新規に画像をスキャナから読み取り、その読み取る画像の一部を数枚画像形成する場合、その画像を抽出するために検索しなければならず手間と時間がかかるという問題があった。
【０００９】
本発明は叙上に鑑みて完成されたものであり、その目的はユーザが所要の画像を手間をかけずに多数の画像の中から抽出するとともに、その抽出した画像を選択して画像形成することのできる画像形成装置を提供することにある。
【００１０】
【課題を解決するための手段】
本発明の画像形成装置は、画像を読み取る画像読取手段と、読み取った画像を記憶する記憶手段と、記憶した画像を画像形成する画像形成手段と、を設けた画像形成装置において、画像形成手段は記憶手段にて記憶した１以上の画像を記録媒体に並べて、かつ該記録媒体に認識用コードを付与して画像形成することを特徴とする。
【００１１】
本発明の他の画像形成装置は、画像を読み取る画像読取手段と、読み取った画像を記憶する記憶手段と、記憶した画像を画像形成する画像形成手段と、を設けた画像形成装置において、画像形成手段は記憶手段にて記憶した１以上の画像を記録媒体に並べて、かつ並べた画像にチェック部を付与して画像形成することを特徴とする。
【００１２】
本発明の他の画像形成装置は、画像を読み取る画像読取手段と、読み取った画像を記憶する記憶手段と、記憶した画像を画像形成する画像形成手段とを、設けた画像形成装置において、画像形成手段は記憶手段にて記憶した１以上の画像を記録媒体に並べて、かつ該記録媒体に認識用コードを付与するとともに、並べた画像にチェック部を付与して画像形成することを特徴とする。
【００１３】
本発明においては、さらに前記チェック部を設けた画像を前記画像読取手段にて読み取り、画像形成手段はチェック部にマークしたもののみ画像形成するとよい。
【００１４】
本発明においては、さらに前記チェック部を設けた画像を前記画像読取手段にて読み取り、画像形成手段はチェック部にマークしたもののみ画像形成しないことを特徴とするとよい。
【００１５】
本発明においては、さらに前記認識用コードを前記画像読取手段にて読み取ると画像形成手段は前記記憶手段にて記憶した１以上の画像を記録媒体に並べて自動に画像形成するとよい。
【００１６】
本発明においては、前記記憶手段にて記憶した１以上の画像を記録媒体に並べて画像形成する前に、並べた画像を表示する表示手段を設けるとよい。
【００１７】
本発明においては、前記表示手段にて表示されている並べた画像にチェック部を付与するとよい。
【００１８】
本発明の他の画像形成装置は、画像を読み取る画像読取手段と、読み取った画像を記憶する記憶手段と、記憶した画像を画像形成する画像形成手段と、を設けた画像形成装置において、記憶手段にて記憶した１以上の画像を並べて、かつ認識用コードを付与して表示する表示手段を設けたことを特徴とする。
【００１９】
本発明の他の画像形成装置は、画像を読み取る画像読取手段と、読み取った画像を記憶する記憶手段と、記憶した画像を画像形成する画像形成手段と、を設けた画像形成装置において、記憶手段にて記憶した１以上の画像を並べて、かつ並べた画像にチェック部を付与して表示する表示手段を設けたことを特徴とする。
【００２０】
本発明の他の画像形成装置は、画像を読み取る画像読取手段と、読み取った画像を記憶する記憶手段と、記憶した画像を画像形成する画像形成手段とを、設けた画像形成装置において、記憶手段にて記憶した１以上の画像を並べて、かつ認識用コードを付与するとともに、並べた画像にチェック部を付与して表示する表示手段を設けたことを特徴とする。
【００２１】
【発明の実施の形態】
以下、本発明の画像形成装置について図でもって説明する。
【００２２】
図１は本発明の画像形成装置の構成図であり、図２は画像形成装置の処理のフローチャートである。図３は画像形成装置により画像形成されたインデックス画像の一例である。
【００２３】
図１に示す如く、文書や図面等の画像２−１を読み取るとともに画像データに変換する画像読取手段１−４を設け、この画像読取手段１−４を画像データの管理および画像形成装置１−１の制御を行う制御手段１−８と接続し、この制御装置１−８に画像の読み取りや画像形成の命令または装置１−１の各種設定等を行う操作手段１−２を接続し、さらに画像データを記憶する記憶手段１−６も接続している。
【００２４】
図２のフローチャートにて一連の処理について説明すると、１以上の画像２−１を画像読取手段１−４の読取部にセットし（ステップ１）、操作手段１−２にて画像２−１を紙等の１つの記録媒体に並べて画像形成（以下、画像２−１を１つの記録媒体に並べて画像形成したものをインデックス画像と称する）するインデックス構成コマンドを処理手段１−８に入力し（ステップ２）、この入力の後、画像２−１を１画像ずつまたは複数枚ずつ画像読取手段１−４にて読み取るとともに画像データに変換し（ステップ３）、この画像データを処理手段１−８を介して記憶手段１−６に記憶する（ステップ４）。
【００２５】
なお、本例においては２４枚の画像２−１を１枚の紙面に画像形成するように設定する。
【００２６】
画像データを記憶手段１−６に記憶した後、画像読取手段１−４は画像２−１の有無を判別し（ステップ５）、画像２−１を有すればステップ３〜５を繰り返し、画像２−１がなければ画像２−１を読み込んだ枚数に対応してインデックス画像２−２を画像形成手段１−５にて生成（ステップ６）するとともに所要の枚数のインデックス画像２−２を画像形成する（ステップ７）。なお、所要の枚数とは、同一のインデックス画像２−２を複数画像形成することと、インデックス画像２−２が画像２−１を読み込んだ枚数に応じて複数種類あることの両方のうち一方または両方を意味する。これは、ユーザにて適宜に設定する。
【００２７】
ここで、インデックス画像２−２を図３にて詳述する。
【００２８】
図３に示す如く、画像２−１を２４枚ごとにインデックス画像２−２を１枚画像形成し、このインデックス画像２−２に記載された１つの画像２−１に対してチェックボックス１つを設け、インデックス画像２−２の１枚ごとに記号やバーコード等の認識用コードを設けている。
【００２９】
認識用コードは、インデックス画像２−２が生成される際に、このインデックス画像２−２に表示されるチェックボックスの位置や数、そして形成した画像の種類やその他の表記等のフォーマット情報を自動的に記憶手段１−６に記憶させるとともに、この記憶するフォーマット情報に割り当てられたコードである。このインデックス画像のフォーマット情報は、操作手段１−２にて作成や構成の変更等をすることができ、コンピュータ等の情報処理装置によっても接続（図示せず）すれば、情報処理装置で作成したフォーマット情報を画像形成装置１−１の処理手段１−８を介して記憶手段１−６に記憶することでフォーマットを決めることができる。
【００３０】
また、上記認識用コードを画像読取手段１−４に読み取らせるか、または操作手段１−２にて入力することで、画像２−１を予め記憶手段１−６に記憶してあれば、処理手段１−８により認識コードに対応する画像データが記憶手段１−６から抽出されるとともに、この画像データを記憶手段１−６から画像形成手段１−５に送り、インデックス画像２−２を画像形成することができる。
【００３１】
なお、認識用コードを読み込んでインデックス画像２−２を形成する際、操作手段１−４によって、認識用コードを読み取ると自動的にインデックス画像２−２を形成するか、操作手段１−４にてインデックス画像２−２を形成するコマンドを入力した後、認識用コードを読み取り、インデックス画像２−２を形成するのかの設定を決めることができる。
【００３２】
さらにまた、チェックボックスはインデックス画像２−２に示された画像のうち再び画像形成させたいものまたは、画像を形成させないものをユーザにマークさせるものである。
【００３３】
例えば図１に示すインデックス画像２−３の如くチェックボックスにマーク等を記し、それを画像読取手段１−４にて読み取らせマークの有無を判別し、マークしたもののみ再び画像形成する。一方、操作手段１−２の設定によりマークしたもののみ画像形成しないように変更する事もできる。
【００３４】
次に、インデックス画像２−３によりマークされた画像の画像形成ステップを図２にて説明する。
【００３５】
所要の枚数のインデックス画像２−３を読み取り部１−４にセットし（ステップ１）、インデックス画像２−３からチェックボックスをマークした画像を画像形成するための画像形成コマンドを操作手段１−２より処理手段１−８に入力し（ステップ２）、処理手段１−８よりインデックス画像２−３を読み取るコマンドを画像読取手段１−４に送信するとともにインデックス画像２−３を読み取り（ステップ８）、そして、インデックス画像２−３の認識用コードおよびマークを検出し（ステップ９）する。
【００３６】
このときマークの検出がなければエラー表示を行い（ステップ１２）、マークが検出されれば処理手段１−８にて認識用コードから記憶手段１−６に記憶された所定の画像データを抽出し、この抽出した画像データよりチェックボックスにマークした画像データを読み出し（ステップ１１）、読み出した画像データから画像形成手段１−５にて画像形成を行い、所要の画像を得ることができる。
【００３７】
なお、上記インデックス画像２−３の画像読取手段１−４による読み取りは、画像読取手段１−４の１回の読み取りに対して複数のインデックス画像２−３を読み取ることと、１回の読み取りに対して１つのインデックス画像２−３の読み取りをすることと、どちらでもユーザの設定により適宜変更することができる。
【００３８】
また、ステップ１２のエラー表示が出力されても、認識用コードの検知エラーであれば、認識用コードを操作手段１−２にて入力することでエラーを回避し、再びインデックス画像２−３を読み込ませることで、チェックボックスのマークを認識させ、マークに対応した画像を得ることができる。
【００３９】
かくして、上記構成の画像形成装置によれば、１以上の画像を画像読取手段１−４にて読み取り、画像形成手段１−５にてインデックス画像２−２を形成し、このインデックス画像２−２に認識用コードを設けたことで、ユーザはこの認識用コードを操作手段１−２にて入力をするか、または画像読取手段１−４に読み取らせるのみで、インデックス画像を画像形成することができ、手間なく多数の画像の中から画像を抽出することができる。
【００４０】
さらに、インデックス画像２−２にチェックボックスを設けたことで、チェックボックスにマークし、これを画像読取手段１−４に読み取らせることで画像２−１が多数ある場合に手間なく選択した画像のみを画像形成することができる。特に多数の画像２−１の中から特定の画像のみを１以上画像形成させたい場合に有効である。
【００４１】
例えば、多数の画像２−１の中から特定の画像のみを探すことは大変な手間であり、また、特定の画像を複数枚得るために、多数の画像２−１を全て１枚以上ずつ画像形成し、所要の画像のみ抜き取るのでは、画像形成させる物の資源を無駄にする事にもつながり大変コストがかかる問題があり、本発明の画像形成装置１−１であればこの問題を有効に解決できる。
【００４２】
また、認識用コードを画像読取手段１−４に読み取らせると自動にインデックス画像を形成する設定をすることができることで、パンフレット等にある事柄の要約書きと認識用コードを設けておけば、パンフレットを見たユーザが要約書より詳細な説明書きを知りたい場合に、画像読取手段１−４に読み込ませるのみで説明書きに対応するインデックス画像２−２を見ることができ、そこからチェックボックスにマークをすることで、さらに絞り込んだ画像を得ることができる。
【００４３】
したがって、画像形成装置１−１の複雑な操作を覚えずとも手間がかからず瞬時にユーザは、所要の画像を得ることができる。
【００４４】
さらにまた、カード等の小さなものに認識用コードを設ければ、持ち歩きに便利であるとともに、認識用コードに対応した画像形成装置１−１であれば、カードの認識用コードを読み取らせることで瞬時に所要の画像を得ることがでるとともに、カードの保管に要する空間を小さくすることもできる。
【００４５】
次に、本発明の画像形成装置の改良例を図でもって示す。
【００４６】
図４は本発明の他の画像形成装置であり、図５はインデックス画像の他の表示例である。なお、図１と同一の手段の物は同一の符号を付す。
【００４７】
本例の画像形成装置１−１によれば画像２−１を画像読取手段１−４にて読み取り、画像形成手段１−５にてインデックス画像２−２を画像形成したが、図４に示す如く画像形成装置１−１に液晶や液晶タッチパネル等の表示手段１−１０を設け、この表示手段１−１０に認識用コードを付与したインデックス画像を表示する。
【００４８】
このとき、付与される認識用コードによって、表示されるインデックス画像２−２に表示されている画像２−１がどのような画像であるかを認識することができるとともに、その認識用コードのみを画像形成するか、またはユーザが認識用コードを別の手段にて記憶することで、再びインデックス画像２−２を表示させたい場合に、別の手段にて記憶した認識用コードを操作手段１−２にて入力するか、または画像読取手段１−４に読み取ることで表示させることができる。
【００４９】
また、表示手段１−１０にチェックボックスを付与したインデックス画像２−２を表示することで、操作手段１−２またはタッチ入力機能つきの表示手段１−１０であればチェックボックスにマークを入力し、そのマークに応じて画像を画像形成することができる。
【００５０】
なお、設定によりマークしたチェックボックスに対応する画像を画像形成しないように設定できる。
【００５１】
したがって、インデックス画像２−２を形成する前にこの画像の画像形成の有無確認や、インデックス画像を画像形成せずとも、所要の画像を表示手段にて確認することができる。
【００５２】
次に、インデックス画像の他の表示例について説明する。
【００５３】
図３にて説明したインデックス画像２−２においては、チェックボックスを１画像に１つ設けたが、これに限定せず、１画像にチェックボックスを１以上設け、チェックボックスをマークするだけでなく記号や文字を記入してもよい。
【００５４】
例えば、図５に示すインデックス画像２−４は、１０の画像のソートの有無を判別するチェックボックスと、順位・枚数を記入するチェックボックスと、複写の有無を判別するチェックボックスと、チェックボックスの役割を説明する表示部とを設ける。
【００５５】
そして、所要の画像を画像形成する際にソートしない場合は、ソートの有無をチェックするチェックボックスにマークをせず、１０の画像のうち画像形成する画像の、複写の有無を判別するチェックボックスにマークを記入し、画像形成する枚数を順位・枚数を記入するチェックボックスに数字を記入する。
【００５６】
一方ソートする場合は、ソートの有無をチェックするチェックボックスにマークし、画像形成する順番を順位・枚数を記入するチェックボックスに数字を記入する。この場合インデックス画像２−４を複数枚に亘って読み取る場合であっても順位の数字が間違っていなければ、順位のとおりにソートすることができる。
【００５７】
このように、インデックス画像２−２に画像形成する設定を設けておくことで、ユーザの所要の画像を所要の形式で画像形成することができる。
【００５８】
また、各チェックボックスの説明書きを入れられることで、ユーザに分かりやすく労せず所要の画像を入手することができる。
【００５９】
なお、上記実施の形態例に限定されるものではなく、本発明の用紙を逸脱しない範囲で種々の変更や改善等はなんら差し支えない。
【００６０】
例えば、インデックス画像の認識用コードを別に読み取る画像読取手段を設けてもよい。すなわち、認識用コードのみを読み取る画像読取手段１−４の一部分または別の画像読取手段を設けることで、認識用コードを正確に認識し、また認識用コードの形状等から正確にチェクボックスの位置を認識することができる。
【００６１】
【発明の効果】
以上のとおり、本発明の画像形成装置によれば、画像を読み取る画像読取手段と、読み取った画像を記憶する記憶手段と、記憶した画像を画像形成する画像形成手段とを設け、画像形成手段は記憶手段にて記憶した１以上の画像を記録媒体に並べて、かつ該記録媒体に認識用コードを付与することで、認識用コードにより多数ある画像の中で瞬時に所要の画像を抽出することができた。
【００６２】
また、記憶手段にて記憶した１以上の画像を記録媒体に並べて、かつ並べた画像にチェック部を付与することで、このチェック部にマークすることで、初めて画像形成装置を使用するユーザであっても多数ある画像の中から所要の画像を瞬時に認識する事ができるとともに、その画像が複数種類、複数枚であっても手間なく簡便に所要の画像を選択し、画像形成することができた。
【００６３】
さらに、本発明の画像形成装置に表示手段を設けることで、画像形成するインデックス画像やインデックス画像のチェック部にマークした画像が、所要な画像であるかの有無や、画像形成装置の各種設定等を確認することができた。
【図面の簡単な説明】
【図１】本発明の画像形成装置の構成図である。
【図２】本発明の画像形成装置の処理のフローチャートである。
【図３】本発明の画像形成装置にて形成したインデックス画像である。
【図４】本発明の画像形成装置の他の例である。
【図５】本発明の画像形成装置にて形成した他のインデックス画像である。
【符号の説明】
１−１・・・画像形成装置
１−２・・・操作手段
１−４・・・画像読取手段
１−５・・・画像形成手段
１−６・・・記憶手段
１−８・・・処理手段
１−１０・・表示手段
２−１・・・画像
２−２・・・インデックス画像（マークなし）
２−３・・・インデックス画像（マークあり）
２−４・・・インデックス画像（マークなし）
【図１】
2004025688.tif 000003
【図２】
2004025688.tif 000004
【図３】
2004025688.tif 000005
【図４】
2004025688.tif 000006
【図５】
2004025688.tif 000007